(57)【要約】【課題】リード線付きの電子部品を収納でき、機械による電子部品の取り出しが容易なマガジンを、より安価に提供する。【解決手段】リード線（３２、３３）付きの電子部品３を収納するための収納ケース１であって、複数の前記電子部品の本体部分３１を保持可能な中空筒状体を有し、前記中空筒状体の一端、および他端に、それぞれ、第１の開口１１ａ、および第２の開口１１ｂを有し、前記第１の開口は、前記電子部品を取り出し可能な形状寸法に形成され、前記中空筒状体の前記第２の開口側の内側面１５に、前記中空筒状体に収納された前記電子部品が脱落しないように当該電子部品と干渉するストッパー１６が形成され、前記電子部品の前記リード線を前記中空筒状体の外方に導き出すスリット１４が、前記第１の開口から前記中空筒状体の軸１００方向に沿って形成されている。【選択図】図３
2020161598.tif 000002
【特許請求の範囲】
【請求項１】
リード線付きの電子部品を収納するための収納ケースであって、
複数の前記電子部品の本体部分を保持可能な中空筒状体を有し、
前記中空筒状体の一端、および他端に、それぞれ、第１の開口、および第２の開口を有し、
前記第１の開口は、前記電子部品を取り出し可能な形状寸法に形成され、
前記中空筒状体の前記第２の開口側の内側面に、前記中空筒状体に収納された前記電子部品が脱落しないように当該電子部品と干渉するストッパーが形成され、
前記電子部品の前記リード線を前記中空筒状体の外方に導き出すスリットが、前記第１の開口から前記中空筒状体の軸方向に沿って形成されている、
ことを特徴とする収納ケース。
【請求項２】
請求項１に記載の収納ケースに収納されている前記電子部品の取出方法であって、
前記収納ケースの前記軸方向に延長する棒状治具の先端を、前記ストッパーと干渉しないように前記第２の開口から前記中空筒状体内へ挿入する治具挿入ステップと、
前記治具を前記第１の開口に向かって繰り出して、前記第１の開口から前記電子部品を外方に向けて順次押し出す電子部品取出ステップと、
を含むことを特徴とする電子部品の取出方法。
【発明の詳細な説明】
【技術分野】
【０００１】
本発明は、中空筒状のマガジンに関する。
【背景技術】
【０００２】
今日、電子部品の流通経路において広汎に利用されている梱包形態として、スティック梱包がある。スティック梱包は、マガジンとよばれる一端、または両端が開口している中空筒状の包装容器（以下、マガジンスティックということがある）に複数の電子部品を直列に収納した後、その開口端を封口することによって、当該マガジンスティックの内部に電子部品を封入する梱包形態である。マガジンスティックの開口端を封口する封止栓は、エラストマー（例えば、シリコンゴム、ウレタンゴム）や、弾性を有する軟質プラスチック（例えば、ポリエチレン、ポリプロピレン）などからなる栓（以下、「封止栓」とも言う）であり、その封止栓がマガジンスティックの開口内方に圧入されることで、マガジンスティックが封止される。
【０００３】
図１に、電子部品のスティック梱包に用いられる、一般的なマガジンスティック１０１の一例と、そのマガジンスティック１０１の封口に使用される一般的な封止栓２とを示した。ここで、中空筒状のマガジンスティック１０１の筒軸１００方向を便宜的に長さ方向とすると、マガジンスティック１０１は、長さ方向の両端に開口（１１１ａ、１１１ｂ）を有する中空角筒状の容器であり、その中空内部を電子部品の収納空間としている。
【０００４】
一方、封止栓２は、弾性体からなり、その立体形状は、長さ方向から見たときの平面形状を維持して、長さ方向に所定の幅を有する形状となっている。また、封止栓２の平面形状は、マガジンスティック１０１の開口形状にほぼ一致し、その外形寸法は、長さ方向に沿ってマガジンスティック１０１の開口（１１１ａ、１１１ｂ）の内方に圧入されるように、マガジンスティック１０１の開口寸法よりも大きい。
【０００５】
なお、マガジンスティックとその封止栓については、以下の特許文献１に記載されている。また、非特許文献１には、マガジンスティックおよび封止栓を包装材に使用した電子部品の一般的な包装仕様例が記載されている。
【先行技術文献】
【特許文献】
【０００６】
【特許文献１】特開平７−２８５５８９号公報
【非特許文献】
【０００７】
【非特許文献１】ルネサスエレクトロニクス株式会社、”包装”、[online]、[平成３１年１月２３日検索]、インターネット＜ＵＲＬ：https://www.renesas.com/jp/ja/support/technical-resources/packaging/packing.html＞
【発明の概要】
【発明が解決しようとする課題】
【０００８】
ところで、マガジンスティックに収納されている電子部品を扱う何らかの装置、例えば、電子部品を他の電子部品に組み付けるような装置に供給する場合、マガジンスティックから電子部品を一度取り出した上でその装置に供給するのではなく、開栓された状態のマガジンスティックを装置に装着し、その装置にマガジンスティックから電子部品を取り出す機構を備えさせることが望ましい。その場合、マガジンスティックには、機械によって電子部品が容易に取り出せる何らかの機能が求められる。
【０００９】
例えば、開栓後のマガジンスティックは、マガジンスティックの向きによっては、内部に収納されている電子部品が、開口から脱落する可能性がある。そこで、マガジンスティックには、装置に装着されるまでに、開口から電子部品が脱落しないようにする機能が必要となる。
【００１０】
確かに、上記特許文献１に記載のマガジンスティックのように、側面に切込みを入れて舌状部材を形成し、これを内方に折り曲げることで、電子部品の脱落を防止することができる。また、マガジンスティックの側面に孔を設けて着脱自在のピンを挿入することで電子部品の脱落を防止することもできる。
【００１１】
しかし、マガジンスティックは、電子部品を収納するだけの部材であり、可能な限り安価に提供する必要がある。そして、上述した、切り込みを設けた従来のマガジンスティックでは、基本形状である切り込みのない、筒状のマガジンスティックを成形する工程に加え、筒状の成形体の側面に切り込みを形成する工程が必要となる。ピンを設ける場合であっても、マガジンスティックとは別体のピンに余分の部材コストが掛かる。
【００１２】
また、電子部品には、リード線が取り付けられているものがある。例えば、リード線を備えたコネクターは、端子を内蔵したハウジングを備え、ハウジング内の端子にリード線の一端が接続され、リード線の他端側がハウジング部から引き出されている。そして、このような、リード線付きの電子部品は、リード線が邪魔になり、従来のマガジンスティックに収納することが難しい。そして、リード線を収納可能なマガジンスティックに対しても、上述した、脱落防止機能と、機械による取出容易性とを備えている必要がある。
【００１３】
そこで本発明は、リード線付きの電子部品を収納でき、機械による電子部品の取り出しが容易なマガジンを、より安価に提供することを目的としている。
【課題を解決するための手段】
【００１４】
上記目的を達成するための本発明の一態様は、リード線付きの電子部品を収納するための収納ケースであって、
複数の前記電子部品の本体部分を保持可能な中空筒状体を有し、
前記中空筒状体の一端、および他端に、それぞれ、第１の開口、および第２の開口を有し、
前記第１の開口は、前記電子部品を取り出し可能な形状寸法に形成され、
前記中空筒状体の前記第２の開口側の内側面に、前記中空筒状体に収納された前記電子部品が脱落しないように当該電子部品と干渉するストッパーが形成され、
前記電子部品の前記リード線を前記中空筒状体の外方に導き出すスリットが、前記第１の開口から前記中空筒状体の軸方向に沿って形成されている、
ことを特徴とする収納ケースとしている。
【００１５】
本発明のその他の態様は、上記収納ケースに収納されている前記電子部品の取出方法であって、
前記収納ケースの前記軸方向に延長する棒状治具の先端を、前記ストッパーと干渉しないように前記第２の開口から前記中空筒状体内へ挿入する治具挿入ステップと、
前記治具を前記第１の開口に向かって繰り出して、前記第１の開口から前記電子部品を外方に向けて順次押し出す電子部品取出ステップと、
を含むことを特徴とする電子部品の取出方法としている。
【発明の効果】
【００１６】
本発明によれば、リード線付きの電子部品を収納でき、機械による電子部品の取り出しが容易なマガジンを、より安価に提供することができる。その他の効果については以下の記載で明らかにする。
【図面の簡単な説明】
【００１７】
【図１】一般的なマガジンスティックを封止栓とともに示す図である。
【図２】本発明の実施例に係るマガジンスティックに収納されるコネクターの外観を示す図である。
【図３】上記実施例に係るマガジンスティックにおける上記コネクターの収納状態を示す図である。
【図４】機械が上記コネクターを上記実施例に係るマガジンスティックから取り出す動作を説明するための図である。
【発明を実施するための形態】
【００１８】
以下、本発明の実施形態について、図面を参照しつつ説明する。なお、以下の説明に用いた図面においては、同一、または類似の部分に同一の符号を付すことによって、重複する説明を省略することがある。また、図面によっては、説明の際に不要な符号を省略することがある。
【００１９】
＝＝＝実施例＝＝＝
本発明の実施例に係るマガジンは、リード線を備えた電子部品を収納するためのものであり、ここでは、リード線が植設されたコネクターを収納するためのマガジンを挙げる。図２に、マガジンスティック１に収納されるコネクター３の外観を示した。図２に示したように、コネクター３は、略直方体の外形を有する樹脂製のハウジング３１にリード線が植設されてなる。なお、図２に示したコネクター３では、長さが異なる二本のリード線（３２、３３）がハウジング３１の一端面に植設されている。また、リード線（３２、３３）のハウジング３１側の端部は、ハウジング３１の内部に配置された電極端子に接続され、先端側となる他方の端部には圧着端子がかしめられている。
【００２０】
図３に、本発明の実施例に係るマガジンスティック１におけるコネクター３の収納状態を示した。図３に示したように、マガジンスティック１は、中空筒状であり、軸１００方向の両端に開口（１１ａ、１１ｂ）を有する。そして、マガジンスティック１は、複数のコネクター３を、軸１００方向（長さ方向）に直列に収納することができる。
【００２１】
ここで、軸１００方向と平行な方向をｘ軸とした右手系のｘｙｚ直交座標系を規定するとともに、マガジンスティック１に対し、ｘ軸と平行となる長さ方向（あるいは前後方向）、ｙ軸と平行となる幅方向（あるいは左右方向）、およびｚ軸と平行となる高さ方向（あるいは上下方向）を規定することとする。また、上記座標系の原点ｏに対してｘ軸、ｙ軸、およびｚ軸の正方向を、それぞれ、後方、右方、および上方として前後、左右、および上下の各方向も規定することとする。なお、座標軸や各方向は、マガジンスティック１の各部位の相対的な位置関係を説明するために便宜的に規定したものである。また、座標軸や各方向は、空間に対して相対的であり、空間におけるマガジンスティック１の姿勢に追従して変化する。
【００２２】
マガジンスティック１は、例えば、ポリカーボネート（Polycarbonate; PC）などの樹脂からなる中空筒状の射出成形品であり、図３に示したように、内面形状は、コネクター３のハウジング３１を保持可能な形状に成形されている。また、マガジンスティック１は、下面１３の左右中央に、軸１００方向に延長するスリット１４が形成されている。そして、マガジンスティック１に複数のコネクター３が直列に収納されると、コネクター３は、中空内部（収納空間）にハウジング３１が保持されつつ、リード線（３２、３３）がスリット１４から外方に引き出された状態となる。
【００２３】
実施例に係るマガジンスティック１は、コネクター３を用いた電子機器の組み立て装置など、当該コネクター３を扱う装置に装着されると、前方の開口１１ａからコネクター３が取り出されるようになっている。また、図３に示したように、マガジンスティック１の後端側の開口部１１ｂの近傍における上面１５の左右中央には、凹部１６が形成されている。そして、この凹部１６は、収納空間内に突出して、コネクター３のハウジング３１の後面に当接し、後端側からコネクター３が脱落するのを防止するストッパーとして機能している。なお、マガジンスティック１を用いてコネクター３を梱包する際には、図１に示したマガジンスティック１０１と同様に、前端側の開口部１１ａに封止栓２を圧入しておけばよい。
【００２４】
図４は、図３に示したマガジンスティック１を、軸１００を含むｚｘ面に平行な面で切断したときの断面図である。図３に示したように、凹部(以下、ストッパー１６と言うことがある)は、マガジンスティック１の収納空間内に下方に向けて突出している。そして、マガジンスティック１の収納空間における上下高ｈ１や、ストッパー１６における収納空間内での突出量ｈ２は、マガジンスティック１の後端側を上端側に対して鉛直下方となるように傾けた場合でも、ストッパー１６がハウジング３１の後面に当接し、後端の開口部１１ｂからコネクター３が脱落しないように設定されている。したがって、マガジンスティック１を装置に装着するときなど、開栓状態にあるときは、前端側が後端側に対して下方に向かないように注意するだけでよい。なお、ストッパー１６の突出量ｈ２は、コネクター３の脱落を防止することができればよく、具体的な寸法は、マガジンスティック１の開口部（１１ａ、１１ｂ）や、収納空間に収納されるコネクター３のハウジング３１の外形寸法、さらにはハウジング３１の質量などに基づいて、適宜に設定すればよい。
【００２５】
マガジンスティック１は、上述した構造により、コネクター３を扱う何らかの装置が、マガジンスティック１に収納されたコネクター３を容易に取り出すことができるようになっている。以下、装置によるコネクター３の取り出し手順について説明する。
【００２６】
マガジンスティック１は、コネクター３のリード線（３２、３３）が、スリット１４から垂下した状態となるように装置に装着される。また、装置は、前後方向に延長する棒状の治具４と、コネクター３を保持して次工程に移送する機構５とを備える。図４に示した例では、装置は、コネクター３を保持して次工程に移送する機構として、左右方向に爪５１が開閉するマニピュレーター５を備えている。
【００２７】
装置は、前端側の開口部（以下、取出口１１ａと言うことがある）からコネクター３を取り出す際、まず、後端側の開口部１１ｂからマガジンスティック１の軸１００方向に治具４を挿入する。治具４は、後端側の開口部（以下、治具挿入口１１ｂと言うことがある）の下端側に挿入されてストッパー１６の下方を通過しつつ、前端が所定の長さ分だけ前方に繰り出される。収納空間の最も後方に収納されているコネクター３のハウジング３１は、治具４によって前方に向けて押圧され、一つ前方にあるコネクター３のハウジング３１を前方に押し出す。それによって、マガジンスティック１に収納されているコネクター３が、後端側から前端側に向けて押し出される。
【００２８】
次に、装置は、最も前端側のコネクター３のハウジング３１が取出口１１ａから前方にはみ出したら、そのはみ出した部分をマニピュレーター５で把持させ、次工程の実施位置までコネクター３を移送させる。また、マニピュレーター５が、コネクター３を移送しているときは、治具４を前方に繰り出す操作を停止させる。
【００２９】
このように、実施例に係るマガジンスティック１は、治具挿入孔１１ｂ側にストッパー１６を備え、マガジンスティック１を封止する際には、封止栓２を一つだけ用意し、その封止栓２を取出口１１ａに挿入すればよい。すなわち、実施例に係るマガジンスティック１は、一つの封止栓２のみを着脱するだけで、簡単に封止および開封される。これにより、マガジンスティック１の封止作業および開封作業を省力化することができる。また、装置に装着される際に、治具挿入口１１ｂ側からコネクター３が脱落せず、コネクター３の供給先の装置の設備稼働率の低下を防ぐことができる。
【００３０】
実施例に係るマガジンスティック１は、後端の治具挿入口１１ｂから収納空間内に棒状の治具４が挿入されることで、コネクター３を供給先の装置に確実に供給することができる。
【００３１】
なお、ストッパー１６は、マガジンスティック１と一体的に成形されている。そのため、マガジンスティック１の内面にストッパー１６を設けるための工程を別途設けたり、ストッパー１６となる別の部材を用意したりする必要がない。すなわち、マガジンスティック１をより安価に製造することができる。なお、ストッパー１６を一体的に備えたマガジンスティック１は、周知の射出成型法によって製造することができる。
【００３２】
＝＝＝その他の実施例＝＝＝
以上、本発明を実施するための形態について説明した。上記実施形態は、本発明の理解を容易にするためのものであって、本発明を限定して解釈するためのものではない。また、本発明の実施形態は本発明の趣旨を逸脱することなく変更、改良され得るとともに、本発明にはその等価物も含まれる。本発明の実施形態は、例えば、以下の点について変更することができる。
【００３３】
上述した実施例において、マガジンスティック１に設けられているストッパー１６の数や形状、配置などは例示に過ぎず、ストッパー１６の数や形状、配置などの具体的構成は、適宜に変更することができる。例えば、ストッパー１６は、マガジンスティック１の内面において、治具挿入口１１ｂの近傍に少なくとも一つ形成されていればよい。また、ストッパー１６はマガジンスティック１の幅方向の中央に配置されていなくてもよい。さらに、ストッパー１６は、マガジンスティック１の左右の面や、下面など上面１５以外の側面に形成されていてもよい。また、スリット１４は、前後両端の開口（１１ａ、１１ｂ）で開放していたが、取出口１１ａ側が開放していればよく、治具挿入口１１ｂ側は閉じていてもよい。
【００３４】
マガジンスティック１は、一つ一つ個別に成形されたものであってもよいし、複数のマガジンスディック１を長さ方向に並べた形状の長尺の成形品を作製し、所定の長さ毎に切断して個々のマガジンスティック１を得てもよい。また、この作製方法では、切断位置を微調整することで、収納空間１２に所定数のコネクター３を収納した際に、ハウジング３１における外形寸法の個体差などに起因してハウジング３１の軸１００方向の長さの合計が異なる場合などにも対応することができる。
【００３５】
マガジンスティック１の材料としては、ポリカーボネートの他に、例えば、ポリ塩化ビニル（Polyvinyl chloride; PVC）やアクリロニトリルブタジエンスチレン樹脂（Acrylonitrile Butadiene Styrene; ABS）、耐衝撃性ポリスチレン（High impact polystyrene; HiPS）、ポリエチレンテレフタラート（Polyethylene terephthalate; PET）などの他の熱可塑性樹脂であってもよいし、ポリスチレンなどを基材とする複合材料であってもよい。金属製であってもよい。
【００３６】
マガジンスティック１に収納される電子部品は、コネクターに限らない。各種素子（抵抗、コンデンサー、トランジスターなど）にリード線が取り付けられてなる電子部品であってもよい。そして、マガジンスティック１の内面形状は、電子部品において、スリット１４から引き出されるリード線（３２、３３）以外の本体部分を保持する形状に形成されていればよい。もちろん、電子部品が備えるリード線（３２、３３）の数は、一本あるいは三本以上であってもよい。
【符号の説明】
【００３７】
１，１０１  マガジンスティック、２  封止栓、３  コネクター、
４  棒状の治具、５  マニピュレーター、
１１ａ,１１ｂ，１１１ａ，１１１ｂ  開口部、１３  側面（下面）、
１４  スリット、１５  側面（上面）、１６  凹部（ストッパー）、
３１  ハウジング、３２，３３  リード線
【図１】
2020161598.tif 000003
【図２】
2020161598.tif 000004
【図３】
2020161598.tif 000005
【図４】
2020161598.tif 000006